(57)【要約】【課題】ユーザの手部と握り部とを緊密に連結でき、切断時の安定度が増加し、使用性が極めて良く、切断の品質が良くなる鋏用握り構造を提供する。【解決手段】二つの刃具と、一端がそれぞれ二つの刃具に固定され互いに枢着している二つの柄部と、を含む鋏用握り構造において、柄部のうちの一つにユーザの手部の親指が挿通できる握り部が設けられ、柄部のうちの残る一つにユーザの手部の親指以外の四つの指が握り可能な握り部が設けられ、親指は、手部の根部の親指基部関節から第１段骨が延び、第１段骨の他端が第２段骨と連接する第１関節を有し、親指が挿通できる握り部は、柄部から屈折に延びるクローズ部の端末に連接され、その中央に挿通部が設けられ、挿通部に親指の第１段骨が嵌合され、挿通部には、親指の第１関節に応じて譲り部が設けられ、親指の第１関節は挿通部を挿通して譲り部以外の範囲に位置する。【選択図】図５
2011120907.tif 000002
【特許請求の範囲】
【請求項１】
二つの刃具と、一端がそれぞれ二つの前記刃具に固定され互いに枢着している二つの柄部と、を含む鋏用握り構造において、
前記柄部のうちの一つにユーザの手部の親指が挿通できる握り部が設けられ、前記柄部のうちの残る一つにユーザの手部の前記親指以外の四つの指が握り可能な握り部が設けられ、前記親指は、手部の根部の親指基部関節から第１段骨が延び、前記第１段骨の一端が第２段骨と連接する第１関節を有し、
前記親指が挿通できる握り部は、前記柄部から屈折に延びるクローズ部の端末に連接され、その中央に挿通部が設けられ、前記挿通部に前記親指の前記第１段骨が嵌合され、前記挿通部には、前記親指の前記第１関節に応じて譲り部が設けられ、前記親指の前記第１関節は前記挿通部を挿通して前記譲り部以外の範囲に位置することを特徴とする鋏用握り構造。
【請求項２】
前記鋏は、相対にクローズし、又はオープンすることができる二つの刃具を有し、前記刃具の一端に柄部がそれぞれ設けられ、二つの前記柄部は、互いに枢着しており、その端末に握り部がそれぞれ設けられ、第１握り部にユーザの手部の前記親指の基部を合せ可能であることを特徴とする、請求項１に記載の鋏用握り構造。
【請求項３】
前記柄部の端末は、前記第１握り部に延び、ユーザの手部のパームへ屈折に延びるクローズ部を有し、前記刃具の中心軸を長軸線と定義し、前記クローズ部の中心軸をクローズ部軸線と定義し、前記長軸線と前記クローズ部軸線とがある開角を成し、前記開角は、１０度〜６５度範囲にあり、２８度であることが好ましく、ユーザの手部の前記パームに前記第１握り部をクローズすることができることを特徴とする、請求項１に記載の鋏用握り構造。
【請求項４】
前記第１握り部の前記挿通部は長い円弧形状を呈する貫通孔であり、前記第１握り部には、前記親指の前記第１関節に応じて凹んだ円弧形状を呈する譲り部が設けられ、前記親指の前記基部に前記第１握り部の前記挿通部が嵌められ、前記親指の前記第１段骨に前記第１握り部が嵌められ、前記譲り部は、前記第１段骨の最大に動作する端部である前記第１関節から譲ることを特徴とする、請求項２に記載の鋏用握り構造。
【発明の詳細な説明】
【技術分野】
【０００１】
本発明は、鋏用握り構造に係り、特に、切断対象物を切断しているときには、ユーザの手部と握り部とを緊密に連結でき、切断の動作は親指以外の四つの指が握る握り部により刃具を駆動し、切断時の安定度が増加し、使用性が極めて良く、切断の品質が良くなる鋏用握り構造に関するものである。
【背景技術】
【０００２】
従来の鋏１０は、図１及び図２に示すように、柄部１３が連結される刃具１１と、柄部１４が連結される刃具１２と、を枢着して構成される。柄部１３、１４の他端に環状を呈する握り部１５、１６がそれぞれ設けられる。ユーザの手部２０の親指２１が第１握り部１５を挿通して第１柄部１３により第１刃具１１を駆動する。親指２１以外の四つの指が第２握り部１６を挿通して第２柄部１４により第２刃具１２を駆動する。
【０００３】
ユーザの手部２０の親指２１の構造は、手部２０の基部２１０の親指基部関節２１１から第１段骨２１２が延び、第１段骨２１２の他端は、第２段骨２１４と連接する第１関節２１３を有する。第１握り部１５に親指２１の先端を挿入するときには、親指２１の第２段骨２１４に第１握り部１５が定位される。ユーザが鋏１０を操作しているときの親指２１の動作は、図２に示すように、親指２１の親指基部関節２１１を中心としてずれる。親指２１の第１段骨２１２が親指基部関節２１１を中心として本来の位置からずれ角度αに旋回し、これにより、鋏１０が本来の位置から垂直方向に沿って旋回移動角度βにずれ、なお、第２段骨２１４が連動されて第１関節２１３を中心として位置ずれ角度σにずれる。そうすると、鋏１０の全体のずれ量は旋回移動角度βと位置ずれ角度σとの和であり、刃具１１、１２をオープンしているときには、鋏１０の変位が不安定になる。そうすると、切断の品質を良く制御できず、刃具１１、１２が左右にずれて、ユーザの切断対象物を持つ手部を傷付ける危険性がある。
【０００４】
別の従来の鋏の構造は、図３に示すように、握り部１５、１６がパームの輪郭に合うように形成され、親指２１が挿通する握り部１５は、一端の開口が他端の開口よりも大きい。これにより、握り部１５は、親指２１にもっとクローズすることができるが、その位置が第２段骨２１４に位置するため、図２に示すような欠点があった。
【０００５】
上記の鋏１０は、握り部１５、１６、柄部１３、１４及び刃具１１、１２が同じ平面の軸線にあるため、腕を旋回しないと刃具１１、１２の行進方向を一直線に保持できないため、ユーザの手部が疲労し易い。卓面に置かされている鋏１０を取上げて利用したいときには、鋏１０の握り部１５、１６に親指などの指を挿入することが困難である。別の手部により鋏１０を取上げないと、鋏１０の握り部１５、１６に親指などの指を挿入することができないため、使用性が良くない。
【発明の概要】
【発明が解決しようとする課題】
【０００６】
本発明の主な目的は、切断対象物を切断しているときには、ユーザの手部と握り部とを緊密に連結でき、切断の動作は親指以外の四つの指が握る握り部により刃具を駆動し、切断時の安定度が増加し、使用性が極めて良く、切断の品質が良くなる鋏用握り構造を提供することにある。
【課題を解決するための手段】
【０００７】
本発明の鋏用握り構造によると、二つの刃具と、一端がそれぞれ二つの前記刃具に固定され互いに枢着している二つの柄部と、を含む鋏用握り構造において、前記柄部のうちの一つにユーザの手部の親指が挿通できる握り部が設けられ、前記柄部のうちの残る一つにユーザの手部の前記親指以外の四つの指が握り可能な握り部が設けられ、前記親指は、手部の根部の親指基部関節から第１段骨が延び、前記第１段骨の他端が第２段骨と連接する第１関節を有し、前記親指が挿通できる握り部は、前記柄部から屈折に延びるクローズ部の端末に連接され、その中央に挿通部が設けられ、前記挿通部に前記親指の前記第１段骨が嵌合され、前記挿通部には、前記親指の前記第１関節に応じて譲り部が設けられ、前記親指の前記第１関節は前記挿通部を挿通して前記譲り部以外の範囲に位置することを特徴とする。
【０００８】
本発明の鋏用握り構造によると、前記鋏は、相対にクローズし、又はオープンすることができる二つの刃具を有し、前記刃具の他端に柄部がそれぞれ設けられ、二つの前記柄部は、互いに枢着しており、その端末に握り部がそれぞれ設けられ、第１握り部にユーザの手部の前記親指の基部を合せ可能であることを特徴とする。
【０００９】
本発明の鋏用握り構造によると、前記柄部の端末は、前記第１握り部に延び、ユーザの手部のパームへ屈折に延びるクローズ部を有し、前記刃具の中心軸を長軸線と定義し、前記クローズ部の中心軸をクローズ部軸線と定義し、前記長軸線と前記クローズ部軸線とがある開角を成し、前記開角は、１２度〜５２度範囲にあり、２８度であることが好ましく、ユーザの手部の前記パームに前記第１握り部をクローズすることができることを特徴とする。
【００１０】
本発明の鋏用握り構造によると、前記第１握り部の前記挿通部は長い円弧形状を呈する貫通孔であり、前記第１握り部には、前記親指の前記第１関節に応じて凹んだ円弧形状を呈する譲り部が設けられ、前記親指の前記基部に前記第１握り部の前記挿通部が嵌められ、前記親指の前記第１段骨に前記第１握り部が嵌められ、前記譲り部は、前記第１段骨の最大に動作する端部である前記第１関節から譲ることを特徴とする。
【発明の効果】
【００１１】
本発明の鋏用握り構造によれば、切断対象物を切断しているときには、ユーザの手部と握り部とが緊密に連結でき、切断の動作は親指以外の四つの指が握る握り部により刃具を駆動し、切断時の安定度が増加し、使用性が極めて良く、切断の品質が良くなるという効果を有する。
【図面の簡単な説明】
【００１２】
【図１】従来の鋏とユーザの手との合せを示す模式図である。
【図２】従来の鋏にユーザの手部の親指を合せて動作することを鋏の端部から見た透視図である。
【図３】別の従来の鋏とユーザの手との合せを示す斜視図である。
【図４】本発明の一実施例の斜視図である。
【図５】本発明の鋏にユーザの手部を合せる状態において、ユーザの手部を透視する模式図である。
【図６】本発明の鋏にユーザの手部を合せる状態において、ユーザの手部を鋏の端部から見た透視図である。
【図７】本発明の鋏にユーザの手部を合せて動作する状態を示す側面図である。
【図８】卓面から本発明の鋏を取上げることを示す模式図である。
【発明を実施するための形態】
【００１３】
以下、本発明の実施の形態を図面に基づいて説明する。
まず、図４を参照する。本発明の鋏は、大分が従来のものと同じ、すなわち、相対にクローズし、或いはオープンすることができる刃具３０、４０を有する。刃具３０、４０の中心の軸線を長軸線と定義する。刃具３０、４０の他端に柄部３１、４１がそれぞれ設けられ、柄部３１、４１が互いに枢着しており、柄部３１、４１の端末に握り部３２、４２がそれぞれ設けられる。第１握り部３２はユーザの手部２０の親指２１の基部の輪郭に合せるように形成される。
【００１４】
柄部３１の端末は第１握り部３２に延びる。柄部３１の端末には、ユーザの手部２０のパームへ屈折するようにクローズ部３１０が形成され、クローズ部３１０の端末に第１握り部３２が連接される。これにより、ユーザのパームに第１握り部３２を確実にクローズすることができる。クローズ部３１０の刃具３０から屈折する角度は、図５に示すように、クローズ部３１０から延びる中心軸線をクローズ部軸線Ｘ１と定義し、長軸線Ｘとクローズ部軸線Ｘ１との開角θは、１０度〜６５度範囲にあり、２８度であることが好ましい。第１握り部３２の中央に挿通部３２０が設けられ、挿通部３２０にユーザの手部２０の親指２１を挿入できる。クローズ部３１０の開角θにより、第１握り部３２と挿通部３２０とに親指２１を確実にクローズすることができる。
【００１５】
第１握り部３２の挿通部３２０は長い円弧形状を呈する貫通孔である。挿通部３２０の一側は幅が徐々に拡大する差込部３２１であり、挿通部３２０の他側は幅が徐々に縮小する差出部３２２である。親指２１の先端が差込部３２１から挿通部３２０に挿入して差出部３２２から差出す。図４に示すように、第１握り部３２には、親指２１の第１関節２１３に応じて凹んだ円弧形状を呈する譲り部３２３が設けられる。親指２１の第１関節２１３は挿通部３２０を挿通して譲り部３２３以外の範囲に位置する。親指２１の基部２１０に第１握り部３２の挿通部３２０を嵌めても、親指２１の第１段骨２１２に第１握り部３２が嵌められ、譲り部３２３は、第１段骨２１３の最大に動作する端部である第１関節２１３から譲る。これにより、第１関節２１３と基部２１０との間に第１握り部３２が嵌められる。対象物を切断しているときには、親指２１の基部２１０が殆ど動かないため、操作の安定性が極めて良い。
【００１６】
図５に示すように、第１握り部３２は、底部がユーザの手部２０のパームにクローズし、上部に譲り部３２３が設けられる。これにより、第１握り部３２の挿通部３２０に第１段骨２１３の最大に動作する端部である第１関節２１３を挿入することができ、親指２１の基部に第１握り部３２を確実に嵌めることができる。対象物を切断するために、水平方向Ａに沿ってユーザの手部２０を前進しているときには、図７に示すように、第１段骨２１２と第１握り部３２とが水平方向高さＡに沿って移動し、なお、第１握り部３２の端末にある第１柄部３１と連接する第１刃具３０の先端が平面Ｂに寄って前進する。そうすると、第１握り部３２の関連構成は、水平方向に沿って移動でき、ずれ或いは旋回することが必要なくなる。第１刃具３０が垂直方向に良く保持され、ユーザの手部２０の親指２１以外の四つの指が第２握り部４２に合せて動作することにより、親指２１以外の四つの指に握られる第２握り部４２は、四つの指で第２握り部を駆動する第１高さＣ１、四つの指で第２握り部を駆動する第２高さＣ２及び四つの指で第２握り部を駆動する第３高さＣ３に移動する。第２刃具４０が第１刃具３０に対してオープンし、或いはクローズしているときには、図５に示すように、刃具３０、４０が垂直状態に保持されるまま対象物を切断でき、操作の安定性が極めて良い。
【００１７】
クローズ部３１０を屈折し、第１握り部３２の形状を変更し、親指２１の合せ位置をずれることにより、本発明の鋏により対象物を切断しているときには、第１握り部３２のずれ及び変位量を最小にすることができ、第１握り部３２は、親指２１の基部の第１段骨２１２に完全に嵌められてパームにクローズすることができ、本発明の鋏全体の操作の安定性が増加する。クローズ部３１０の屈折により、ユーザは、腕を旋回せず、対象物を一直線に切断でき、切断方向の制御が容易になる。図８に示すように、クローズ部３１０の設計により、柄部３１の端末の第１握り部３２が傾斜している形態を呈するため、本発明の鋏１０は、卓面５０に置かれるときに、第１握り部３２が卓面５０から離間する。これにより、ユーザは一つの手で鋏１０を取上げて利用することができ、使用性が極めて良い。
【産業上の利用可能性】
【００１８】
本発明は、鋏に適用することができる。
【符号の説明】
【００１９】
１１：第１刃具
１２：第２刃具
１３：第１柄部
１４：第２柄部
１５：第１握り部
１６：第２握り部
２０：手部
２１：親指
３０：第１刃具
３１：第１柄部
３２：第１握り部
４０：第２刃具
４１：第２柄部
４２：第２握り部
５０：卓面
２１１：親指基部関節
２１２：第１段骨
２１３：第１関節
２１４：第２段骨
３１０：クローズ部
３２０：挿通部
３２１：差込部
３２２：差出部
３２３：譲り部
Ａ：水平方向高さ
Ｂ：平面
Ｃ１：四つの指で第２握り部を駆動する第１高さ
Ｃ２：四つの指で第２握り部を駆動する第２高さ
Ｃ３：四つの指で第２握り部を駆動する第３高さ
Ｘ：長軸線
Ｘ１：クローズ部軸線
α：ずれ角度
β：旋回移動角度
σ：位置ずれ角度
【図１】
2011120907.tif 000003
【図２】
2011120907.tif 000004
【図３】
2011120907.tif 000005
【図４】
2011120907.tif 000006
【図５】
2011120907.tif 000007
【図６】
2011120907.tif 000008
【図７】
2011120907.tif 000009
【図８】
2011120907.tif 000010